(57)【要約】      （修正有）【課題】設置後であってもデザイン変更ができるフェンスを提供する。【解決手段】フェンス１０は、側面に溝１２ａ，１２ｂが形成された中間柱１２、側面に溝１４ａが形成された端部柱１４、および側面に溝１６ａが形成された端部柱１６と、溝１２ａと溝１４ａ、および溝１２ｂと溝１６ａに、長辺の両端が装着された複数の横板１８とを有する。横板１８は、一方の長辺の両端から短辺に沿った方向に突出した当て板４０，４２を備える。横板１８は、鉛直方向に間隔ができるように、かつ溝１２ａと溝１４ａおよび溝１２ｂと溝１６ａに沿って取り出し可能に装着される。形状、表面の色彩、または表面の模様が異なる２種類以上の横板を使用してもよい。【選択図】図１
0003174050.tif 000002
【実用新案登録請求の範囲】
【請求項１】
側面に溝が形成された支柱と、
隣接する２つの前記支柱の溝に、長辺の両端が装着された複数の横板と、
を有するフェンスであって、
前記複数の横板のうちの少なくとも１つの横板は、長辺の端から短辺に沿った方向に突出した当て板を備え、
前記複数の横板は、鉛直方向に間隔ができるように、隣接する２つの前記支柱の溝に沿って取り出し可能に装着されたフェンス。
【請求項２】
請求項１において、
前記複数の横板は、一方の長辺の両端から短辺に沿った方向に突出した当て板を備えるフェンス。
【請求項３】
請求項１または２において、
前記支柱の上面を覆うキャップをさらに有するフェンス。
【請求項４】
請求項１から３のいずれかにおいて、
前記複数の横板は、形状が異なる２種類以上の横板であるフェンス。
【請求項５】
請求項１から４のいずれかにおいて、
前記複数の横板は、表面の色彩および表面の模様の少なくとも一方が異なる２種類以上の横板であるフェンス。
【考案の詳細な説明】
【技術分野】
【０００１】
本考案は、設置後であっても、横板の色彩、模様、および配置などのデザインが変更できるフェンスに関するものである。
【背景技術】
【０００２】
敷地の外周や隣地との境界等に設置するフェンスには、支柱と横板を組み合わせて構成されるものがある。このフェンスは、複数の支柱の下部を一定の間隔で地中に埋設・固定した後、隣り合った支柱間に横板を固定することによって設置する。支柱と横板を組み合わせて構成される従来のフェンスは、横板が支柱に固定されるため、設置した後のデザイン変更ができない。
【考案の概要】
【考案が解決しようとする課題】
【０００３】
本考案はこのような事情に鑑みてなされたものであり、設置後であってもデザイン変更ができるフェンスを提供することを目的とする。
【課題を解決するための手段】
【０００４】
本考案の構造物のフェンスは、側面に溝が形成された支柱と、隣接する２つの前記支柱の溝に、長辺の両端が装着された複数の横板と、を有するフェンスであって、前記複数の横板のうちの少なくとも１つの横板は、長辺の端から短辺に沿った方向に突出した当て板を備え、前記複数の横板は、鉛直方向に間隔ができるように、隣接する２つの前記支柱の溝に沿って取り出し可能に装着されている。
【０００５】
本考案の構造物のフェンスにおいて、前記複数の横板は、一方の長辺の両端から短辺に沿った方向に突出した当て板を備えていてもよい。また、本考案の構造物のフェンスにおいて、前記支柱の上面を覆うキャップをさらに有することが好ましい。また、本考案の構造物のフェンスにおいて、前記複数の横板は、形状が異なる２種類以上の横板であってもよい。また、本考案の構造物のフェンスにおいて、複数の横板は、表面の色彩および表面の模様の少なくとも一方が異なる２種類以上の横板であってもよい。
【考案の効果】
【０００６】
本考案によれば、設置後であってもデザイン変更ができるフェンスが得られる。
【図面の簡単な説明】
【０００７】
【図１】本考案の実施形態に係るフェンスの正面図である。
【図２】図１のフェンスのＡ−Ａ線断面図である。
【図３】本考案の実施形態に係る横板の正面図である。
【図４】本考案の他の実施形態に係る横板の正面図である。
【図５】本考案の他の実施形態に係る横板の正面図である。
【考案を実施するための形態】
【０００８】
以下、本考案のフェンスについて、図面を参照しながら実施形態に基づいて説明する。なお、図面は、フェンスおよびフェンスを構成する各部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の実施形態に係るフェンス１０の正面図である。図２は、図１のフェンス１０をＡ−Ａ線で切断したときの断面図である。フェンス１０は、支柱である中間柱１２および端部柱１４，１６と、横板１８とを備える。本実施形態は、支柱が中間柱１本および端部柱２本からなる基本的な構成のフェンスを示したものである。中間柱を複数本設けることによって、フェンスの幅を自由に拡張できる。
【００１０】
図１および図２に示すように、中間柱１２の２つの側面には溝１２ａ，１２ｂが、端部柱１４の側面には溝１４ａが、端部柱１６の側面には溝１６ａがそれぞれ形成されている。また、中間柱１２は内部に補強柱２２を、端部柱１４は内部に補強柱２４を、端部柱１６は内部に補強柱２６をそれぞれ有する。補強柱２２，２４，２６は、中間柱１２および端部柱１４，１６の強度や剛性を補強するためのもので、円筒形状を有する金属製パイプからなる。
【００１１】
図２に示すように、中間柱１２は樹脂製の２つの柱部材１２ｃ，１２ｄを、端部柱１４は樹脂製の２つの柱部材１４ｃ，１４ｄを、端部柱１６は樹脂製の２つの柱部材１６ｃ，１６ｄをそれぞれ有する。中間柱１２は、補強柱２２を柱部材１２ｃ，１２ｄで挟んだ後に、柱部材１２ｃ，１２ｄを接着または融着して製造される。端部柱１４，１６も同様に、補強柱を２つの柱部材で挟んだ後に、２つの柱部材を接着または融着して製造される。本実施形態では、支柱がそれぞれ２つの柱部材を有するが、支柱は、補強柱を中心に含む合成樹脂の一体物から構成されていてもよい。合成樹脂としては、ポリスチレンやＡＢＳ等が挙げられる。支柱の原料として木材や木材粉を添加した合成樹脂を用いてもよい。
【００１２】
ポリスチレンやＡＢＳ等の合成樹脂からなる横板１８は、隣接する２つの支柱の溝、すなわち、中間柱１２の溝１２ａと端部柱１４の溝１４ａ、および中間柱１２の溝１２ｂと端部柱１６の溝１６ａに、長辺１８ａの両端が装着される。より詳しくは、横板１８は、鉛直方向に間隔ができるように、溝１２ａと溝１４ａ、および溝１２ｂと溝１６ａに沿って取り出し可能に装着される。横板１８の間が開放されているため、フェンス１０を通して採光および通風が可能となる。
【００１３】
フェンス１０は、支柱の上面を覆うとともに、取り外し可能なキャップ３２，３４，３６を備える。キャップ３２，３４，３６は、プラスチックや金属等から製造される。キャップ３２，３４，３６を設けることにより、横板１８の支柱からの飛び出しおよび溝１２ａ，１２ｂ，１４ａ，１６ａへの雨水の浸入を抑えることができる。
【００１４】
図３は、本考案の実施形態に係る横板１８の正面図である。横板１８は、図３に示すように、一方の長辺１８ａの両端から短辺１８ｂに沿った方向に突出した当て板４０，４２を備える。当て板４０，４２は、横板１８に接着または融着されてもよいし、当て板４０，４２と横板１８を一体成型してもよい。本実施形態では、横板１８が２つの当て板４０，４２を備えているが、これに代えて、横板は長辺の端に１つ、３つ、または４つの当て板を備えていてもよい。１つ、３つ、または４つの当て板を備える横板については後述する。
【００１５】
つぎに、フェンス１０の設置方法について説明する。まず、所定の間隔で中間柱１２および端部柱１４，１６の下部を地中に埋設し、コンクリート等で固定する。中間柱１２および端部柱１４，１６の下部を地中に埋設せずに、新設または既存のブロックの穴に中間柱１２および端部柱１４，１６の下部を差し込んで固定してもよい。
【００１６】
つぎに、溝１２ａと溝１４ａおよび溝１２ｂと溝１６ａに沿って、複数の横板１８を差し込んで行く。このとき、本実施形態では、当て板４０，４２が上になるようにする。こうして、横板１８は、鉛直方向に間隔ができるように配置される。また、横板１８が一方の長辺１８ａの両端から突出した２つの当て板４０，４２を備えるため、複数の横板１８のみを用いて、鉛直方向に間隔ができるように横板１８を配置できる。
【００１７】
複数の横板１８を溝１２ａ，１２ｂ，１４ａ，１６ａに差し込んだ後、中間柱１２および端部柱１４，１６の上面を覆うようにキャップ３２，３４，３６を装着してフェンス１０が設置される。横板１８は、溝１２ａと溝１４ａおよび溝１２ｂと溝１６ａに沿って差し込まれているだけなので、キャップ３２，３４，３６を外せば横板１８は取り出し可能である。
【００１８】
このため、形状、色彩、模様等が異なる複数種の横板を用意すれば、フェンス１０の設置後であってもデザイン変更ができる。このデザイン変更は、季節に応じて行ってもよい。また、横板１８が取り出し可能なので、フェンス１０付近の掃除や除雪をするときに、横板１８を取り除いて作業すれば効率的である。横板１８を取り除いて、支柱間を通路にすることもできる。
【００１９】
以上、実施形態に基づいて本考案のフェンスを説明したが、本考案のフェンスは上記実施形態に限定されない。図４は、他の実施形態の横板５０を含む横板の正面図である。横板５０は、２つの長辺５０ａ，５０ｃの両端から短辺５０ｂ，５０ｄに沿った方向に突出した４つの当て板５２，５４，５６，５８を備える。横板５０と当て板を備えない横板６０とを交互に支柱の溝に差し込めば、横板は鉛直方向に間隔ができるように配置される。
【００２０】
図５は、他の横板７０の正面図である。横板７０は、２つの長辺７０ａ，７０ｃの片端から短辺７０ｂ，７０ｄに沿った方向に突出した２つの当て板７２，７４を備える。複数の横板７０を支柱の溝に差し込めば、横板７０は鉛直方向に間隔ができるように配置される。また、図示しないが、１つの当て板を備える横板と、３つの当て板を備える横板とを交互に支柱の溝に差し込んでも、横板は鉛直方向に間隔ができるように配置される。
【００２１】
また、形状が異なる横板を用いて、例えば、長辺の長さが同じで短辺の長さが異なる２種類以上の横板を用いてフェンスを構成すれば、デザイン性に優れたフェンスが得られる。さらに、表面の色彩や表面の模様異なる２種類以上の横板を用いてフェンスを構成しても、デザイン性に優れたフェンスが得られる。
【符号の説明】
【００２２】
１０  フェンス
１２  中間柱
１２ａ，１２ｂ  溝
１２ｃ，１２ｄ  柱部材
１４，１６  端部柱
１４ａ，１６ａ  溝
１４ｃ，１４ｄ，１６ｃ，１６ｄ  柱部材
１８，５０，６０，７０  横板
１８ａ  長辺
１８ｂ  短辺
２２，２４，２６  補強柱
３２，３４，３６  キャップ
４０，４２，５２，５４，５６，５８，７２，７４  当て板
【図１】
0003174050.tif 000003
【図２】
0003174050.tif 000004
【図３】
0003174050.tif 000005
【図４】
0003174050.tif 000006
【図５】
0003174050.tif 000007